(57)【要約】  この発明は、算出精度を高めて、運動効果情報をより正確に算出することができる。また、利用者の満足度向上を図ることができる生体情報取得システム及び生体情報取得方法の提供を目的とする。  生体情報取得システム７００は、体組成計７０７が、運動開始前に測定した運動前体組成データと運動終了後に測定した運動後体組成データとを取得する構成である。また、歩数計５０５が、運動中の振動データを取得する構成である。また、前記運動前体組成データと前記運動後体組成データと前記振動データに基づいて消費カロリー補正係数αを取得する消費カロリー補正係数取得手段（ステップＳ８１６を実行する演算部５５４）と、該消費カロリー補正係数αを用いて消費カロリーを算出する消費カロリー算出手段（消費カロリーを算出する演算部５５４）を備えたことにより、利用者の消費カロリーをより正確に算出することができる。
2010073685.tif 000002
【特許請求の範囲】
【請求項１】
体動による振動を検知した振動データを取得する振動データ取得手段を備えた運動量測定装置と、体重体組成を取得する体重体組成取得手段を備えた体重体組成計とを有する生体情報取得システムであって、
前記体重体組成計は、運動開始前に測定した運動前体重体組成データと運動終了後に測定した運動後体重体組成データとを取得する構成であり、
前記運動量測定装置は、運動中の振動データを取得する構成であり、
前記運動前体重体組成データと前記運動後体重体組成データと前記振動データに基づいて、運動の効果を示す運動効果情報を算出する算出手段を備えた
生体情報取得システム。
【請求項２】
前記算出手段で算出される運動効果情報と対応して前記運動量の変化別と体組成の変化別に異なるメッセージを記憶する記憶手段と、該運動量と体組成の変化に対応するメッセージを前記記憶手段から選択する選択手段と、該選択手段で選択されたメッセージを出力する出力手段を備えた
請求項１に記載の生体情報取得システム。
【請求項３】
前記運動効果情報は、運動で消費した消費カロリーであり、
前記運動前体重体組成データと前記運動後体重体組成データと前記振動データに基づいて、消費カロリー補正係数を取得する消費カロリー補正係数取得手段と、
該消費カロリー補正係数を用いて消費カロリーを算出する消費カロリー算出手段をさらに備えた
請求項１に記載の生体情報取得システム。
【請求項４】
前記運動効果情報に対応した目標値を入力許容する入力手段と、該目標値に応じた運動量を算出する運動量算出手段を備えた
請求項１に記載の生体情報取得システム。
【請求項５】
体動による振動を検知した振動データを取得する振動データ取得手段を備えた運動量測定装置と、体重体組成を取得する体重体組成取得手段を備えた体重体組成計とを有する生体情報取得方法であって、
前記体重体組成計にて取得した運動開始前に測定した運動前体重体組成データ及び運動終了後に測定した運動後体重体組成データと、
前記運動量測定装置にて取得した運動中の振動データに基づいて、運動の効果を示す運動効果情報を算出する運動効果情報を算出手段にて算出する
生体情報取得方法。
【請求項６】
前記算出手段で算出される運動効果情報と対応して前記運動量の変化別と体組成の変化別に異なるメッセージを記憶手段に記憶し、該記憶手段に記憶された運動量と体組成の変化に対応するメッセージを選択手段で選択し、該選択手段で選択されたメッセージを出力手段で出力することを特徴とする
請求項５に記載の生体情報取得方法。
【請求項７】
前記運動効果情報に対応した目標値を入力手段で入力許容し、該目標値に応じた運動量を運動量算出手段で算出することを特徴とする
請求項５に記載の生体情報取得方法。
【発明の詳細な説明】
【技術分野】
【０００１】
この発明は、運動効果情報の正確な情報を算出する際に用いられる生体情報取得システム及び生体情報取得方法に関する。
【背景技術】
【０００２】
従来、歩数計で消費カロリーを測定するには、利用者による初期設定が必要である。この初期設定段階では、体重、身長、年齢、性別などの体組成情報を入力する必要がある。つまり、初期設定された体重、身長、年齢、性別に基づき、基礎代謝量を算出し、これに歩行による消費カロリーを加えることで、消費カロリーを算出する通常の算出方法がある。しかし、消費カロリーは、身長や体重、年齢などの情報から統計的に計算されているので、利用者によって体重や体組成が異なれば、消費カロリーの値も大きく異なってくる。また、利用者の体重や体組成は日々変動しているため、初期設定された体重に基づき消費カロリーを算出すると、その算出される数値の誤差が大きく、統計的な計算方法では正確な消費カロリーを算出することができない。【０００３】
また、前記消費カロリーのようなエネルギーを算出する装置としては、特許文献１の運動消費エネルギー推定装置が提案されている。この文献は、運動消費エネルギーを求めるにあたって、運動消費エネルギーの変動に大きく作用を及ぼす体組成情報を考慮することから、高い精度で運動消費エネルギーを簡単に求めることが記載されている。また、特に、体動情報を加速度、身体特定化情報を体重、年齢及び性別、体組成情報を除脂肪量、筋肉量、脂肪量、体水分量及び体細胞量とすることが記載されている。しかし、上述と同様に、利用者の体重や体組成は日々変動するため、正確な消費カロリーを算出することができない。
【先行技術文献】
【特許文献】
【０００４】
【特許文献１】特許第４０６４４２６号
【発明の概要】
【発明が解決しようとする課題】
【０００５】
この発明は、上述の問題に鑑み、算出精度を高めて、運動効果情報をより正確に算出することができる生体情報取得システム及び生体情報取得方法の提供を目的とする。
【課題を解決するための手段】
【０００６】
この発明は、体動による振動を検知した振動データを取得する振動データ取得手段を備えた運動量測定装置と、体重体組成を取得する体重体組成取得手段を備えた体重体組成計とを有する生体情報取得システムであって、前記体重体組成計は、運動開始前に測定した運動前体重体組成データと運動終了後に測定した運動後体重体組成データとを取得する構成であり、前記運動量測定装置は、運動中の振動データを取得する構成であり、前記運動前体重体組成データと前記運動後体重体組成データと前記振動データに基づいて、運動の効果を示す運動効果情報を算出する算出手段を備えた生体情報取得システムとすることができる。  
前記運動効果情報は、例えば消費カロリーと、運動前後の体組成の変化と、運動前後の体重の変化等で構成することができる。  
この発明により、運動効果情報をより正確に算出することができる。【０００７】
この発明の態様として、前記算出手段で算出される運動効果情報と対応して前記運動量の変化別と体組成の変化別に異なるメッセージを記憶する記憶手段と、該運動量と体組成の変化に対応するメッセージを前記記憶手段から選択する選択手段と、該選択手段で選択されたメッセージを出力する出力手段を備えたことを特徴とする。  
これにより、利用者に適切なアドバイスを行うことができるとともに、出力手段が出力するメッセージを見て、適切な運動を行うことができる。【０００８】
また、この発明の態様として、前記運動効果情報は、運動で消費した消費カロリーであり、前記運動前体重体組成データと前記運動後体重体組成データと前記振動データに基づいて、消費カロリー補正係数を取得する消費カロリー補正係数取得手段と、該消費カロリー補正係数を用いて消費カロリーを算出する消費カロリー算出手段をさらに備えたことを特徴とする。  
これにより、消費カロリーをより正確に算出することができる。【０００９】
また、この発明の態様として、前記運動効果情報に対応した目標値を入力許容する入力手段と、該目標値に応じた運動量を算出する運動量算出手段を備えたことを特徴とする。  
これにより、目標値に到達或いは維持するのに必要な運動量を正確に把握することができる。【００１０】
また、この発明は、体動による振動を検知した振動データを取得する振動データ取得手段を備えた運動量測定装置と、体重体組成を取得する体重体組成取得手段を備えた体重体組成計とを有する生体情報取得方法であって、前記体重体組成計にて取得した運動開始前に測定した運動前体重体組成データ及び運動終了後に測定した運動後体重体組成データと、前記運動量測定装置にて取得した運動中の振動データに基づいて、運動の効果を示す運動効果情報を算出する運動効果情報を算出手段にて算出する生体情報取得方法することができる。  
これにより、例えば消費カロリー、運動前後の体組成や体重の変化等の運動効果情報をより正確に算出することができる。【００１１】
この発明の態様として、前記算出手段で算出される運動効果情報と対応して前記運動量の変化別と体組成の変化別に異なるメッセージを記憶手段に記憶し、該記憶手段に記憶された運動量と体組成の変化に対応するメッセージを選択手段で選択し、該選択手段で選択されたメッセージを出力手段で出力することを特徴とする。  
これにより、利用者に適切なアドバイスを行うことができるとともに、出力手段が出力するメッセージを見て、適切な運動を行うことができる。【００１２】
また、この発明の態様として、前記運動効果情報に対応した目標値を入力手段で入力許容し、該目標値に応じた運動量を運動量算出手段で算出することを特徴とする。  
これにより、目標値に到達或いは維持するのに必要な運動量を正確に把握することができる。【００１３】
前記体組成は、例えば体重、身長、年齢、性別、筋肉率、脂肪率等で構成することができる。また、運動量測定装置は、歩数計や運動量計で構成することができる。
【発明の効果】
【００１４】
この発明によれば、算出精度を高めて、運動効果情報をより正確に算出することができる。また、利用者の満足度向上を図ることができる。
【図面の簡単な説明】
【００１５】
【図１】生体情報取得システムのシステム構成を示すブロック図。
【図２】生体情報取得システムの全体の動作を示すフローチャート。
【図３】運動開始スイッチを設けた歩数計の動作のフローチャート。
【図４】運動開始スイッチを設けた歩数計の別の動作のフローチャート。
【図５】歩数計の画面イメージの説明図。
【図６】消費カロリーを算出する動作のフローチャート。
【図７】歩数計に記憶されているメッセージデータを示す説明図。
【図８】過去に測定された体重変化と運動量の関係を示すグラフ。
【図９】目標値入力から必要な運動量を出力する動作のフローチャート。
【図１０】ダイエットした際の体重変化と運動量の関係を示すグラフ。
【発明を実施するための形態】
【実施例】
【００１６】
図１は、生体情報取得システム７００のシステム構成を示すブロック図である。【００１７】
生体情報取得システム７００は、インターネット５０３に有線または無線により接続されたサーバ５０２とユーザ端末５０４と体組成計７０７、および、ユーザ端末５０４に有線または無線により接続される歩数計５０５によって構成されている。【００１８】
サーバ５０２は、例えばサーバ装置として利用されるような適宜のコンピュータであり、制御部５２０、記憶部５２１、操作部５２２、表示部５２３、および通信部５２４等を有している。通信部５２４は、有線接続するＬＡＮボードや無線通信する無線ＬＡＮボードなど、適宜の通信機器で構成することができる。【００１９】
このサーバ５０２は、係員による操作部５２２の操作により、ユーザ端末５０４を介して歩数計５０５からデータを受信し、このデータに基づく出力画面を表示部５２３に表示する。【００２０】
ユーザ端末５０４は、例えばパーソナルコンピュータで構成され、制御部５４０、通信部５４１、操作部５４２、表示部５４３、および通信部５４４を有している。通信部５４１は、有線接続するＬＡＮボードや無線通信する無線ＬＡＮボードなど、適宜の通信機器で構成することができる。通信部５４４は、有線接続するＵＳＢ（Universal Serial Bus）や無線通信するＢｌｕｅｔｏｏｔｈ（登録商標）など、適宜の通信インターフェースで構成することができる。【００２１】
このユーザ端末５０４は、通信部５４４を介して歩数計５０５からデータを取得し、このデータに基づくグラフや表を表示する機能、このデータをサーバ５０２に送信する機能を有している。【００２２】
なお、このユーザ端末５０４は、パーソナルコンピュータに限らず、ＰＤＡ（Personal Digital Assistants）や携帯電話といった携帯型情報処理装置で構成するなど、適宜の装置で構成することができる。【００２３】
歩数計５０５は、通信部５５１、加速度検知部５５２、表示部５５３、演算部５５４、電源接続部５５５、記憶部５５６、操作部５５７、および電源部５５８を有している。  
通信部５５１は、有線接続するＵＳＢ（Universal Serial Bus）や無線通信するＢｌｕｅｔｏｏｔｈ（登録商標）など、適宜の通信インターフェースで構成することができる。【００２４】
加速度検知部５５２は、ユーザの歩行等によって生じる変化の一例として加速度を検知するセンサであり、検知信号を演算部５５４に送信する。この加速度検知部５５２は、一方向の加速度を検知する一次元加速度センサ、直交する二方向の加速度を検知する二次元加速度センサ、または、直交する三方向の加速度を検知する三次元加速度センサで構成することができ、情報量の多い三次元加速度センサが最も好ましい。【００２５】
表示部５５３は、液晶などの表示器機で構成されており、演算部５５４からの表示制御信号に従って情報を表示する。この表示する情報は、歩数など歩行に関する情報とすることができる。【００２６】
演算部５５４は、電源部５５８から電源接続部５５５を介して受け取る電力によって駆動し、加速度検知部５５２および操作部５５７からの検知信号の受信（検出）、通信部５５１、表示部５５３、および記憶部５５６に対する電力供給（電源）と動作制御（表示制御）を実行する。また、加速度検知部５５２から受信する検知信号に基づいて、記憶部５５６に記憶している歩行判定基準データや歩行検証基準データ等を参照して演算する処理も実行する。【００２７】
記憶部５５６は、検知信号のうち歩行による信号部分を検知して歩数をカウントするための歩数カウントプログラム、および、歩数をカウントするための閾値データ等を記憶している。また、後述する消費カロリー補正係数αを用いて算出される消費カロリーと対応して、運動量の変化別と体組成の変化別に異なるメッセージを記憶している（図７参照）。【００２８】
操作部５５７は、体重や歩幅などのユーザ情報の入力操作、時計を合わせる日時入力操作、表示内容を歩数・消費カロリー・歩行距離といった各種内容に切り替える表示内容切替操作、および、ユーザ端末５０４へデータ送信するデータ送信操作など、適宜の操作入力を受け付け、この操作入力信号を演算部５５４に送信する。【００２９】
体組成計７０７は、制御部７７０、通信部７７１、操作部７７２、表示部７７３、および測定部７７４等により構成されている。  
制御部７７０は、ＣＰＵとＲＯＭとＲＡＭあるいはマイコン（マイクロコンピュータ）により構成されており、ＲＯＭ等に記憶されているプログラムに従って各部の制御動作や演算動作を実行する。【００３０】
通信部７７１は、制御部７７０に接続されており、該制御部７７０の制御信号に従ってサーバ５０２と通信を行う。なお、この通信部７７１は、サーバ５０２に限らず、歩数計などの他の生体情報取得装置と通信する、あるいはパーソナルコンピュータや携帯情報端末（ＰＤＡあるいは携帯電話機等）と通信するなど、適宜の装置と通信する構成にしてもよい。【００３１】
操作部７７２は、押下操作される複数のボタンにより構成されており、体重や身長といった利用者情報の入力など、利用者に押下操作された入力情報を制御部７７０へ送る。【００３２】
表示部７７３は、液晶画面（図１参照）などの表示装置によって構成され、制御部７７０から送られる画像信号に従って文字や図形といった画像を表示する。【００３３】
測定部７７４は、低電流回路とインピーダンス検知部と電極とで構成される体脂肪率測定部、および複数のロードセルで構成される体重測定部により構成されている。【００３４】
なお、サーバ５０２の記憶部５２１には、体組成計７０７で計測した基礎代謝や体重、および体組成計７０７で入力された身長などの測定データが利用者別に蓄積されている。歩数計５０５は、この測定データにユーザＩＤ等を用いてアクセスすることができる。【００３５】
図２は、生体情報取得システム７００の全体の動作を示すフローチャートである。【００３６】
まず、体組成計７０７により体組成データ（体重体組成データ）を測定する（ステップＳ８０１）。体組成データとしては、例えば基礎代謝、体重、体脂肪率などを測定するとよい。またこの段階の歩数計５０５は、図５（Ｄ）に示すように、状態表示画面を表示部５５３に表示し、体組成測定、運動中、および運動後測定完了のすべてを消灯し、何も開始されていないことを示すと良い。また、現在の歩数も同時に表示しておくとよい。【００３７】
体組成計７０７は、測定した体組成データをサーバ５０２へ送信する（ステップＳ８０２）。【００３８】
サーバ５０２は、受信した体組成データを運動前体組成データとして記憶部５２１に記憶する（ステップＳ８０３）。  
歩数計５０５は、体組成データをサーバ５０２から受信し、利用者により装着され（ステップＳ８０４）、ワークアウトが実施される（ステップＳ８０５）。このとき、歩数計５０５は、装着されたことやワークアウトが実施されたことを検知しても良いが、特に検知等の動作を行わなくてもよい。【００３９】
また、体組成データを受信した歩数計５０５の演算部５５４は、表示部５５３に図５（Ｅ）に示す状態表示画面を表示すると良い。この画面では、「体組成測定有り」を表示させ、残りの「運動中」および「運動後測定完了」を消灯させるとよい。また、歩数計５０５で歩行を検出している運動中は、状態表示画面の「運動中」をさらに表示させるとよい。【００４０】
歩数計５０５は、ワークアウトによる運動データを記憶部５５６に保存し（ステップＳ８０６）、この運動データをサーバ５０２へ送信する（ステップＳ８０７）。この送信は、随時実行してもよいが、ワークアウトが終了（歩行停止など）して一定時間が経過した際に実行する構成にしてもよい。  
またこの送信の際、演算部５５４は、図５（Ｆ）に示すように、表示部５５３に状態表示画面を表示するとよい。この状態表示画面では、「体組成測定有り」「運動中」および「運動後測定完了」の全てを表示させると良い。【００４１】
サーバ５０２は、歩数計５０５から受信した運動データを記憶部５２１に記憶する（ステップＳ８０８）。  
体組成計７０７は、利用者の体組成を測定し（ステップＳ８０９）、この体組成データをサーバ５０２へ送信する（ステップＳ８１０）。  
サーバ５０２は、受信した体組成データを運動後体組成データとして記憶部５２１に記憶する（ステップＳ８１１）。【００４２】
サーバ５０２は、ステップＳ８０３で記憶した運動前体組成データとステップＳ８１１で記憶した運動後体組成データの差から運動前後の体組成変化を求めてこの変化量を記憶部５２１に記憶し（ステップＳ８１２）、この変化量を運動量と紐付けする（ステップＳ８１３）。【００４３】
サーバ５０２は、消費カロリー補正係数αを決定し（ステップＳ８１４）、この消費カロリー補正係数αを歩数計５０５へ送信する（ステップＳ８１５）。また、この消費カロリー補正係数αは、図６に示すとともに後述する算出方法を用いて利用者毎に消費カロリーを算出するためのものである。  
歩数計５０５は、受信した消費カロリー補正係数αを記憶し（ステップＳ８１６）、処理を終了する。この消費カロリー補正係数αを受信した歩数計５０５は、これ以降において、利用者毎に消費カロリーを算出する際に、この消費カロリー補正係数αを使用する。  【００４４】
図３は、操作部５５７に運動開始スイッチを設けた歩数計５０５の演算部５５４が実行する動作を示すフローチャートである。この動作は、前記ステップＳ８０４の装着の際に実行される
演算部５５４は、操作部５５７により運動開始スイッチの押下入力を受付（ステップＳ８２１）、体組成計７０７のデータがあるか否かを判定する(ステップＳ８２２)。この判定は、サーバ５０２にアクセスして体組成計７０７の測定データがあるか否かを判定する、あるいは、サーバ５０２から直近の一定時間内に測定データを受信しているか否かを判定するなど、適宜の方法により判定する。【００４５】
測定データが無かった場合（ステップＳ８２２：Ｎｏ）、演算部５５４は、図５（Ａ）に示す警告画面を表示部５５３に表示する（ステップＳ８２３）。この警告画面には、体組成計による測定がされていない旨、このまま測定を行って良いか問い合わせる内容、Ｙｅｓ／Ｎｏを選択させる内容、および現在の歩数（図示の例では１０２０歩）を表示する。【００４６】
演算部５５４は、Ｙｅｓが選択されれば、歩数計５０５による運動測定を開始する（ステップＳ８２６）。【００４７】
体組成計７０７による測定データがあった場合（ステップＳ８２２：Ｙｅｓ）、演算部５５４は、その測定データの測定時刻が現時点から予め定めた所定時間（Ｎ時）以内か否か判定する（ステップＳ８２４）。【００４８】
所定時間以内でなければ（ステップＳ８２４：Ｎｏ）、演算部５５４は、図５（Ｂ）に示す警告画面を表示部５５３に表示する（ステップＳ８２５）。この警告画面では、体組成計による測定が所定時間（○時間）以内にされていない旨、このまま測定を行って良いか問い合わせる内容、Ｙｅｓ／Ｎｏを選択させる内容、および現在の歩数（図示の例では１０２０歩）を表示する。【００４９】
演算部５５４は、Ｙｅｓが選択されれば、歩数計５０５による運動測定を開始する（ステップＳ８２６）。なお、Ｎｏが選択された場合、図５（Ｃ）に示す警告画面を表示部５５３に表示すると良い。この警告画面では、体組成計で体組成を測定するように促す内容、および現在の歩数（図示の例では１０２０歩）を表示する。  
所定時間以内であれば（ステップＳ８２４：Ｙｅｓ）、演算部５５４は、歩数計５０５による運動測定を開始する（ステップＳ８２６）。【００５０】
図４は、操作部５５７に運動開始スイッチを設けた歩数計５０５の演算部５５４が実行する別の例の動作を示すフローチャートである。この例では、自動で運動を検出する。【００５１】
Ｍｅｔ’ｓ、歩数、速度により所定以上の運動量を検出すると（ステップＳ８４１）、演算部５５４は、継続時間が所定時間（図示の例ではＭ分）以上になるまで（ステップＳ８４２：Ｎｏ）、待機する。【００５２】
所定以上の運動量を所定時間以上継続して検出すると（ステップＳ８４２：Ｙｅｓ）、演算部５５４は、体組成計７０７による測定データがあるか否か判定する（ステップＳ８４３）。このステップＳ８４３からステップＳ８４７までの動作は、上述したステップＳ８２２からＳ８２６までの動作と同一であるため、その詳細な説明を省略する。【００５３】
図６は、消費カロリー補正係数αを算出した後、該補正係数αに基づいて消費カロリーを算出する動作のフローチャートである。  
詳述すると、歩数計５０５の演算部５５４は、利用者の歩数、ピッチを歩数計５０５でカウントした後（ステップＳ９０１）、その歩数、ピッチに基づいて利用者のＥｘ量（エクササイズ量）を通常の算出方法を用いて算出する（ステップＳ９０２）。【００５４】
演算部５５４は、この通常の算出方法で算出された利用者の消費カロリーに、下記の数式１で求められた消費カロリー補正係数αを乗算することで、利用者毎に補正消費カロリーを算出する（ステップＳ９０３）。【００５５】
上記の補正消費カロリーは、下記の数式１で求められる。  
［数１］  
補正消費カロリー（ｋａｌ）  
＝消費カロリー（ｋａｌ）×消費カロリー補正係数α‥‥‥‥‥‥‥‥数式１
消費カロリー補正係数αは、次の数式２で求められる。  
［数２］  
基準変化体重Ｘ≦０．５の場合、α＝１．０  
基準変化体重Ｘ＞０．５の場合、α＝１．０＋０．１(Ｘ−０．５)‥‥数式２
また、利用者の基準変化体重Ｘは、下記の数式３で求められる。  
［数３］  
基準変化体重Ｘ＝３÷実際の運動量（Ｅｘ）×体重変化（ｋｇ）‥‥‥数式３
演算部５５４は、上記の算出方法で算出された消費カロリーを、歩数計５０５の表示部５５３に表示する（ステップＳ９０４）。  
このようにして、利用者毎の消費カロリーを算出することができる。【００５６】
下記の表１は、ワークアウト前後の体重変化から、実際の運動時における体重変化を換算した例である。【００５７】
【表１】
2010073685.tif 000003
実際の運動量が３Ｅｘで、体重変化が０．５ｋｇであれば、上記数式３で求められる基準変化体重Ｘは、０．５となる。【００５８】
また、実際の運動量が１．５Ｅｘで、体重変化が０．５ｋｇであれば、上記数式３で求められる基準変化体重Ｘは、１．０となる。【００５９】
また、実際の運動量が４Ｅｘで、体重変化が０．４ｋｇであれば、上記数式３で求められる基準変化体重Ｘは、０．３となる。【００６０】
上記基準変化体重Ｘの平均値が０．５以下であれば、消費カロリー補正係数αを１．０に設定する。【００６１】
また、基準変化体重Ｘの平均値が０．５以上であれば、消費カロリー補正係数αを、１．０＋０．１(Ｘ−０．５)の数式２で求められる係数に設定する。  
このようにして、測定した体重の変化に基づいて、基準変化体重Ｘを決定し、消費カロリー補正係数αを決定できる。【００６２】
他の算出方法として、前記消費カロリー補正係数αを使用する代わりに、後述する消費カロリー補正係数βを使用して、体組成に基づいて利用者毎の消費カロリーを算出してもよい。【００６３】
上記の補正消費カロリーは、通常の算出方法で算出された利用者の消費カロリーに、下記の数式４で求められた基準変化脂肪率Ｙに基づく消費カロリー補正係数βを乗算することで、利用者毎に算出することができる。これにより、前記消費カロリー補正係数αで算出した際と略同等の結果が得られる。【００６４】
消費カロリー補正係数βは、次の数式４で求められる。  
［数４］  
基準変化脂肪率Ｙ≦０．５の場合、β＝１．０  
基準変化脂肪率Ｙ＞０．５の場合、β＝１．０＋０．１(Ｙ−０．５)‥数式４
また、上記の基準変化脂肪率Ｙは、下記の数式５で求められる。  
［数５］  
基準変化脂肪率Ｙ＝３÷実際の運動量×脂肪率変化‥‥‥‥‥‥‥‥‥数式５
下記の表２は、ワークアウト前後の体組成変化（筋肉率ｏｒ脂肪率）から、実際の運動量における体組成変化を換算した例である。【００６５】
【表２】
2010073685.tif 000004
実際の運動量が３Ｅｘで、脂肪率変化が０．５％であれば、上記数式３で求められる基準変化脂肪率Ｙは、０．５％となる
また、実際の運動量が１．５Ｅｘで、脂肪率変化が０．５％であれば、上記数式３で求められる基準変化脂肪率Ｙは、１．０％となる。【００６６】
また、実際の運動量が４Ｅｘで、脂肪率変化が０．４％であれば、上記数式３で求められる基準変化脂肪率Ｙは、０．３％となる。【００６７】
上記基準変化脂肪率Ｙの平均値が０．５以下又は同一であれば、消費カロリー補正係数βを１．０に設定する。【００６８】
また、基準変化脂肪率Ｙの平均値が０．５以上であれば、消費カロリー補正係数βを、１．０＋０．１(Ｙ−０．５)の数式４で求められる係数に設定する。  
このようにして、体組成に基づいて、基準変化脂肪率Ｙを決定できる。【００６９】
次に、利用者の運動等の結果に対しメッセージを表示する処理を説明する。  
図７は、歩数計５０５の記憶部５５６に記憶されているメッセージデータを示す説明図である。  
このメッセージデータは、体重変化、運動量変化、及びメッセージで構成されている。この体重変化及び運動量変化は、それぞれ増加、維持、減少の３段階のいずれか一つが記憶されている。これにより、体重変化と運動量変化に応じたメッセージを表示できるようにしている。【００７０】
図８は、表示部５５３に表示されるメッセージを見て、ダイエットした際の体重変化と運動量の関係を示すグラフである。【００７１】
同図中の上段は、ダイエット成功例を示す。ａ区間は、運動を始めたばかりであるから、運動量の増加に伴い、体重が順調に減少することになる。  
このとき、生体情報取得システム７００で利用者の体重や体組成を測定すれば、表示部５５３には、「いい調子で体重が落ちています、引き続き油断せずに頑張りましょう」のメッセージが表示される。  
これにより、利用者に、目標値に到達或いは維持するのに適した運動量であるか否かを認識させ、食事制限や運動を継続することを奨励することができる。【００７２】
上記メッセージに従って運動を維持或いは継続すれば、ｂ区間は、体重や運動量に大きな変化がみられず、体が省エネモードに入り、体重の減少が一時的に停滞する時期である。【００７３】
このとき、生体情報取得システム７００による測定を行えば、表示部５５３には、「体が省エネモードに突入、引き続き運動を頑張りましょう」のメッセージが表示される。  
これにより、利用者に、目標値に到達するには、運動を継続或いは増加することであると認識させることができる。【００７４】
さらに、表示部５５３に表示されるメッセージに従って、運動量を増加（運動の質を向上）或いは維持させることにより、ｃ区間において、再び体重が減少することになる。  
これによって、ダイエットが成功する。【００７５】
一方、同図中の下段は、ダイエット失敗例を示す。ｄ区間は、運動を始めたばかりであるから、上記ａ区間と同等の結果が得られ、運動量の増加に伴い、体重が順調に減少することになる。【００７６】
しかし、ｅ区間に入ると、体が省エネモードに入り、体重の減少が一時的に停滞する。このとき、利用者のモチベーションが下がり、運動量が少なくなれば、体重が増加し始める。【００７７】
さらに、ｆ区間では、ｅ区間よりも運動量が減少すると、体重がさらに増加することになる。また、場合によっては、リバウンドによりダイエット開始前よりも体重が増加することもある。  
このように、ダイエット失敗につながる状況が生じたときに、上記ダイエット成功例のようにメッセージを表示することで、ダイエットを成功させることができる。  
なお、上記例は、体重の変化に基づいてメッセージを表示するが、脂肪率の変化に基づいてメッセージを表示してもよい。【００７８】
図９は、目標値を入力して必要な運動量を利用者が把握する際の動作を示すフローチャートである。【００７９】
歩数計５０５の演算部５５４は、利用者による消費カロリー補正係数αを用いて算出される消費カロリーに対応した目標値入力を操作部５５７により受け付ける（ステップＳ８６１）。  
ここでの目標値は、目標項目（皮下脂肪や体重など）と目標数値（パーセントやキログラムなど）を利用者に指定入力させることで受付することができ、例えば「皮下脂肪を１％落とす」、あるいは「体重を１ｋｇ落とす」など適宜の目標値とすることができる。【００８０】
演算部５５４は、入力された目標値を通信部５５１によりサーバ５０２へ送信する（ステップＳ８６２）。【００８１】
サーバ５０２の制御部５２０は、記憶部５２１に記憶しているデータを参照し、歩数計５０５からデータを送信してきた利用者の過去の運動量と変化量を抽出する（ステップＳ８６３）。この運動量と変化量は、上述したステップＳ８１２で記憶されたものである。【００８２】
制御部５２０は、最も直前に記憶した運動量と変化量に基づいて、受信した目標値に到達するために必要な運動量を算出する必要運動量算出処理を実行する（ステップＳ８６４）。【００８３】
制御部５２０は、さらに運動量と変化量の過去の履歴から、脂肪燃焼効率に変化がないか確認する（ステップＳ８６５）。これは、運動量と変化量の関係から求めることができ、例えば同じ運動量でも変化量が少なくなっているといった変化を確認できる。【００８４】
制御部５２０は、ステップＳ８６４で求めた必要な運動量と、ステップＳ８６５で求めた脂肪燃焼効率の変化を歩数計５０５へデータ送信する（ステップＳ８６６）。【００８５】
歩数計５０５の演算部５５４は、受信したデータに基づき、目標値を達成するために必要な運動量を表示部５５３に表示する（ステップＳ８６７）。  
つまり、歩数計５０５に、利用者が目標とするダイエットの目標値を入力すれば、その目標値に到達するのに必要な運動量が表示部５５３に表示される。【００８６】
前記の表示内容は、例えば内蔵脂肪レベルの高い利用者に対してであれば「３Ｍｅｔ’ｓ以上の歩行維持を６０分以上行いましょう」、また、皮下脂肪レベルの高い利用者に対してであれば「４Ｍｅｔ’ｓ以上の歩行維持を３０分以上行いましょう」、また、体重を減少させたい利用者であれば「３Ｍｅｔ’ｓ以上の歩行を３０分と４Ｍｅｔ’ｓ以上の歩行を１０分行いましょう」といったメッセージを表示することができる。【００８７】
演算部５５４は、サーバ５０２から受信したデータにより脂肪燃焼効率に変化が確認できれば（ステップＳ８６８：Ｙｅｓ）、体重変化と運動量変化に応じたメッセージ（図７参照）を表示部５５３に表示する（ステップＳ８６９）。  
このメッセージは、例えば運動量が減少していないのに体重の減少が止まったか筋肉率が低下している場合であれば、「脂肪燃焼効率が落ちています。運動の質を変化させて、筋力アップを目指しましょう」とする、あるいは運動量が増えているのに体重の減少が止まったか筋肉率が増えている場合であれば、「脂肪燃焼の促進には継続が重要です。あきらめずに頑張りましょう」とするなど、適宜の内容にすることができる。【００８８】
脂肪燃焼効率に変化が無かった場合であれば（ステップＳ８６８：Ｎｏ）、ステップＳ８６９を実行せずに処理を終了する。【００８９】
なお、必要運動量算出処理では、１ｋｇの体重を落すのに必要な平均運動量Ｅｘと目標値から必要運動量を算出してもよい。  
詳述すると、下記の表３は、図１０のグラフに示す過去の測定結果を参考にして、体重が落ちた日のデータをピックアップし、その日の運動量Ｅｘと減量された体重ｋｇと、１ｋｇ落すための量に換算した単位運動量Ｅｘ／ｋｇと、その全単位運動量の平均運動量Ｅｘ１を示す表である。【００９０】
【表３】
2010073685.tif 000005
つまり、ピックアップされた体重が落ちた日の運動量Ｅｘと体重ｋｇを、１ｋｇ減量する際に必要とされる量の単位運動量Ｅｘ／ｋｇに換算する。そのピックアップした全データの単位運動量から平均運動量Ｅｘ１を算出する。この平均運動量Ｅｘ１を減量する目標値に換算することで、必要な運動量を算出できる。【００９１】
算出を終えた歩数計５０５の演算部５５４は、表示部５５３の画面に、「あなたの体重を○○減量するためには、○○Ｅｘの運動が必要です」と表示する。【００９２】
これにより、利用者は、表示部５５３の画面に表示された○○Ｅｘの数値を見て、体重を目標値だけ減量する際の運動量を正確に把握することができる。また、目標達成に必要な運動量がわかるため、必要以上に運動を行う必要がなく、無理なく減量を行える。また、目標値に到達するのに運動が不足するのを防止でき、目標到達までの期間を短くできる。【００９３】
以上に説明したように、生体情報取得システム７００は、体組成計７０７が、運動開始前に測定した運動前体組成データと運動終了後に測定した運動後体組成データとを取得する構成であり、歩数計５０５が、運動中の振動データを取得する構成であり、前記運動前体組成データと前記運動後体組成データと前記振動データに基づいて消費カロリー補正係数αを取得する消費カロリー補正係数取得手段（ステップＳ８１６を実行する演算部５５４）と、該消費カロリー補正係数αを用いて消費カロリーを算出する消費カロリー算出手段（消費カロリーを算出する演算部５５４）を備えたことにより、利用者の消費カロリーをより正確に算出することができる。【００９４】
また、運動前体組成データと運動後体組成データとの差により変化量を求める変化量算出手段（ステップＳ８１２を実行する制御部５２０）と、利用者が目標とする消費カロリー補正係数αを用いて算出される消費カロリーに対応した目標値を入力許容する入力手段（操作部５５７）と、求めた目標値と前記運動中の振動データに基づいて前記目標値に到達するために必要な運動を提案する提案手段（ステップＳ８６７を実行する演算部５５４）とを備えたことにより、利用者に適切なアドバイスを行うことができる。【００９５】
また、歩数計５０５により算出する消費カロリーの精度を、他の装置で測定した測定値を利用して向上することができる。特に、一般家庭に普及している体組成計７０７を利用することで、利用者の負担する費用を抑えてよりよい測定を行うことができる。【００９６】
また、運動前後で体組成計７０７による測定を行い、歩数計５０５を利用者が装着して運動するだけで補正係数を更新することができる。このため、消費カロリーの算出精度を高める補正係数を利用者の現状に合わせたものに容易に更新することができる。【００９７】
また、目標値を入力すれば必要な運動量が得られるため、利用者は目的意識を持って運動を行うことができる。  
また、脂肪燃焼効率に変化があった場合に、利用者はその事実を知ることができるため、運動継続のモチベーション維持に役立てることができる。【００９８】
また、生体情報取得システム７００を用いて、体組成計７０７にて取得した運動開始前に測定した運動前体組成データ及び運動終了後に測定した運動後体組成データと、歩数計５０５にて取得した運動中の振動データとに基づいて、消費カロリー補正係数αを消費カロリー補正係数取得手段（ステップＳ８１６を実行する演算部５５４）にて取得するとともに、該消費カロリー補正係数αを用いて消費カロリーを消費カロリー算出手段（消費カロリーを算出する演算部５５４）にて算出する生体情報取得方法を提供することができる。  
また、体重を１ｋｇ落とすためには、５．８Ｅｘの運動が必要であると表示してもよい。【００９９】
この発明の構成と、前記実施形態との対応において、  
この発明の振動データ取得手段と、消費カロリー補正係数取得手段と、消費カロリー算出手段と、運動量算出手段は、選択手段は、実施例の演算部５５４に対応し、  
以下同様に、  
運動効果情報は、消費カロリー、運動前後の体組成や体重の変化に対応し、  
体重体組成取得手段は、サーバ５０２に対応し、  
運動量測定装置は、歩数計５０５に対応し、  
出力手段は、表示部５５３に対応し、  
記憶手段は、記憶部５５６に対応し、  
入力手段は、操作部５５７に対応し、  
体重体組成計は、体組成計７０７に対応するも、
この発明は、上述の実施形態の構成のみに限定されるものではなく、請求項に示される技術思想に基づいて応用することができ、多くの実施の形態を得ることができる。
【産業上の利用可能性】
【０１００】
この発明は、運動量とその運動による体重体組成の変化を検出して運動効果を把握することに利用でき、ダイエットのサポート、リハビリや介護、スポーツインストラクターによる選手強化のサポート等に利用することができる。
【符号の説明】
【０１０１】
５０２…サーバ
５０５…歩数計
５５３…表示部
５５４…演算部
５５６…記憶部
５５７…操作部
７００…生体情報取得システム
７０７…体組成計
【図１】
2010073685.tif 000006
【図２】
2010073685.tif 000007
【図３】
2010073685.tif 000008
【図４】
2010073685.tif 000009
【図５】
2010073685.tif 000010
【図６】
2010073685.tif 000011
【図７】
2010073685.tif 000012
【図８】
2010073685.tif 000013
【図９】
2010073685.tif 000014
【図１０】
2010073685.tif 000015
【国際調査報告】
2010073685.tif 000016
2010073685.tif 000017